(57)【要約】【課題】広告映像を観覧した顧客の移動先に配置された電子広告装置に同一広告映像を表示させる。【解決手段】電子広告装置２〜５は広告映像を観覧する観覧者を撮像するカメラ６〜９を有し、電子広告装置２〜５のいずれかで撮像された観覧者の顔部分の画像情報、観覧者が観覧した広告映像を特定する情報及び電子広告装置２〜５のいずれかを特定する情報を記録する観覧者情報記録装置１１と、他の電子広告装置２〜５が観覧者を撮像した場合に、観覧者の顔部分の画像を、観覧者情報記録装置１１に記録された画像情報と照合する顔画像照合装置１２と、顔画像照合装置１２が、電子広告装置２〜５のいずれかが撮像した観覧者と他の電子広告装置２〜５が撮像した観覧者が同一人物であると判断した場合に、前記観覧者が観覧していた広告映像と同一の広告映像を他の電子広告装置２〜５に表示させる広告配信装置１３とを備える。【選択図】図１
2010113314.tif 000002
【特許請求の範囲】
【請求項１】
広告映像を表示する複数個の電子広告装置に接続された電子広告システムにおいて、
前記電子広告装置は広告映像を観覧する観覧者を撮像する撮像手段を有するとともに、
前記電子広告装置で撮像された観覧者の顔部分の画像、当該観覧者が観覧していた広告映像を特定する情報及び当該電子広告装置を特定する情報を記録する観覧者情報記録手段と、
前記電子広告装置が観覧者を撮像した場合に、当該観覧者の顔部分の画像を前記観覧者情報記録手段に記録された画像情報と照合する顔画像照合手段と、
前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段とを備える
ことを特徴とする電子広告システム。
【請求項２】
前記観覧者情報記録手段は、観覧者が前記電子広告装置において所定時間を超えて広告映像を観覧した場合に、当該観覧者の顔部分の画像、当該観覧者が観覧していた広告映像を特定する情報及び当該電子広告装置を特定する情報を記録する
ことを特徴とする請求項１に記載の電子広告システム。
【請求項３】
前記広告映像制御手段は所定のスケジュールに従って、前記電子広告装置に広告映像を表示させるとともに、
前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像と同一の広告映像を前記電子広告装置に表示させ、前記同一の広告映像の表示が終了したら、再び前記所定のスケジュールに従って、
電子広告装置に広告映像を表示させる
ことを特徴とする請求項１に記載の電子広告システム。
【請求項４】
広告映像を表示する複数個の電子広告装置に接続された電子広告配信装置であって、
前記電子広告装置の観覧者の顔部分の画像、当該観覧者が観覧していた広告映像を特定する情報及び当該電子広告装置を特定する情報を記録する観覧者情報記録手段と、
観覧者の顔部分の画像を前記観覧者情報記録手段に記録された画像情報と照合する顔画像照合手段と、
前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段とを備える
ことを特徴とする電子広告配信装置。
【請求項５】
広告映像を表示する複数個の電子広告装置に電子広告を配信する電子広告配信方法において、
前記電子広告装置の観覧者の顔部分の画像、当該観覧者が観覧していた広告映像を特定する情報及び当該電子広告装置を特定する情報を記録する観覧者情報記録段階と、
観覧者の顔部分の画像を前記観覧者情報記録段階で記録された画像情報と照合する顔画像照合段階と、
前記顔画像照合段階で、前記電子広告装置が撮像した観覧者と前記観覧者情報記録手段に記録された画像の人物が同一人物であると判断した場合に、前記観覧者情報記録段階で記録された画像の人物が観覧していた広告映像に関係する広告映像を前記電子広告装置に表示させる広告映像制御段階とを備える
ことを特徴とする電子広告配信方法。
【請求項６】
広告映像を表示する複数個の電子広告装置に接続されたコンピュータにインストールされて、当該コンピュータを、
前記電子広告装置の観覧者の顔部分の画像、当該観覧者が観覧していた広告映像を特定する情報及び当該電子広告装置を特定する情報を記録する観覧者情報記録手段と、
観覧者の顔部分の画像を前記観覧者情報記録手段に記録された画像情報と照合する顔画像照合手段と、
前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段として機能させる
ことを特徴とするプログラム。
【発明の詳細な説明】
【技術分野】
【０００１】
本発明は、広告映像を観覧した観覧者を追跡して、当該観覧者の移動先に配置された電子広告装置に同一の広告映像を表示する電子広告システム、該電子広告システムに使用する電子広告配信装置、及びプログラムに関する。
【背景技術】
【０００２】
電子広告装置あるいはデジタルサイネージと呼ばれる装置を店舗等に設置して、当該店舗等を訪れる顧客に広告画像を観覧させることが知られている（例えば特許文献１）。電子広告装置は、画像表示装置（例えば液晶表示装置）を備えて、当該電子広告装置の内部に記録され、あるいは上位の配信装置から配信される広告映像を前記画像表示装置に表示する装置である。
【０００３】
また、特許文献１の図９には、デジタルサイネージにカメラを備えて、当該デジタルサイネージを観覧する観覧者を撮像することも示されている。
【０００４】
【特許文献１】特開２００５−２５１１７０号公報
【発明の開示】
【発明が解決しようとする課題】
【０００５】
電子広告装置は、動画像を提示できるから、ポスター等の静止画に比べて、訴求力が大きい。しかしながら、店舗等に入場した顧客が特定のデジタルサイネージの側に留まって、そのデジタルサイネージに表示される広告映像の全編を連続して観覧する場合は少ない。そこで、店内を移動する顧客に、例えば、広告映像を繰り返し観覧させて、当該顧客に大きなインパクトを与えて、大きな広告効果を得たいという要請がある。
【０００６】
本発明は、このような背景に鑑みてなされたものであり、より大きなインパクトを顧客に与えることができる電子広告システム等を提供することを目的とする。
【課題を解決するための手段】
【０００７】
本発明に係る電子広告システムは、広告映像を表示する複数個の電子広告装置を備える電子広告システムにおいて、前記電子広告装置は広告映像を観覧する観覧者を撮像する撮像手段を有するとともに、前記電子広告装置で撮像された観覧者の顔部分の画像、当該観覧者が観覧していた広告映像を特定する情報及び当該電子広告装置を特定する情報を記録する観覧者情報記録手段と、前記電子広告装置が観覧者を撮像した場合に、当該観覧者の顔部分の画像を前記観覧者情報記録手段に記録された画像情報と照合する顔画像照合手段と、前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段とを備える。
【０００８】
本発明に係る電子広告配信装置は、広告映像を表示する複数個の電子広告装置に接続された電子広告配信装置であって、前記電子広告装置の観覧者の顔部分の画像、当該観覧者が観覧していた広告映像を特定する情報及び当該電子広告装置を特定する情報を記録する観覧者情報記録手段と、観覧者の顔部分の画像を前記観覧者情報記録手段に記録された画像情報と照合する顔画像照合手段と、前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段とを備えることを特徴とする。
【０００９】
本発明に係る電子広告配信方法は、広告映像を表示する複数個の電子広告装置に電子広告を配信する電子広告配信方法において、前記電子広告装置の観覧者の顔部分の画像、当該観覧者が観覧していた広告映像を特定する情報及び当該電子広告装置を特定する情報を記録する観覧者情報記録段階と、観覧者の顔部分の画像を前記観覧者情報記録段階で記録された画像情報と照合する顔画像照合段階と、前記顔画像照合段階で、前記電子広告装置が撮像した観覧者と前記観覧者情報記録手段に記録された画像の人物が同一人物であると判断した場合に、前記観覧者情報記録段階で記録された画像の人物が観覧していた広告映像に関係する広告映像を前記電子広告装置に表示させる広告映像制御段階とを備えることを特徴とする。
【００１０】
本発明に係るプログラムは、広告映像を表示する複数個の電子広告装置に接続されたコンピュータにインストールされて、当該コンピュータを、前記電子広告装置の観覧者の顔部分の画像、当該観覧者が観覧していた広告映像を特定する情報及び当該電子広告装置を特定する情報を記録する観覧者情報記録手段と、観覧者の顔部分の画像を前記観覧者情報記録手段に記録された画像情報と照合する顔画像照合手段と、前記顔画像照合手段が、前記電子広告装置が撮像した観覧者と前記観覧者情報記録手段に記録された画像の人物が同一人物であると判断した場合に、前記観覧者情報記録手段に記録された画像の人物が観覧していた広告映像に関係する広告映像を前記電子広告装置に表示させる広告映像制御手段として機能させることを特徴とする。
【発明の効果】
【００１１】
本発明の電子広告システムによれば、電子広告装置で広告映像を観覧した観覧者が、その場を離れて、他の電子広告装置に立ち寄った時に、前記電子広告装置で観覧していた広告映像と同一の広告映像を前記他の電子広告装置で観覧させることができるので、広告映像が観覧者に与えるインパクトが大きい。
【発明を実施するための最良の形態】
【００１２】
以下、本発明を実施するための最良の形態に係る電子広告システムについて説明する。
【００１３】
図１は、本発明の実施形態に係る電子広告システムを備えた店舗１の概念的な配置図である。
【００１４】
図１に示すように、店舗１内には複数の電子広告装置２〜５が配置され、店舗１に入場した顧客Ｃは、店舗１内を自由に移動して、電子広告装置２〜５に表示される広告映像を自由に観覧することができる。また、電子広告装置２〜５はそれぞれカメラ６〜９を備えて、広告映像を観覧している顧客Ｃの顔部分を撮像することができる。
【００１５】
店舗１内に配置された電子広告装置２〜５及びカメラ６〜９は電子広告システム１０の構成要素であって、電子広告システム１０は図２に示すように構成される。すなわち、電子広告システム１０は、電子広告装置２〜５、観覧者情報記録装置１１、顔画像照合装置１２及び広告配信装置１３を備える。
電子広告装置２〜５は、それぞれ、液晶表示装置等の表示装置とスピーカ等から構成され、任意のコンテンツ（画像及び／又は音声）を出力する。
電子広告装置２〜５は、それぞれ、カメラ６〜９を備える。各カメラ６〜９は、ＣＣＤ（Charge Coupled Device)カメラ等から構成され、その画角は、立ち止まって電子広告装置２〜５の画面を観覧している顧客Ｃの顔が撮影されるように設定されている。
【００１６】
観覧者情報記録装置１１は、電子広告装置２〜５に表示された広告映像を観覧した顧客Ｃの観覧情報を格納する。観覧情報は、図３に示すように、電子広告装置２〜５に表示された広告映像を観覧している顧客Ｃの顔部分の画像の画像データ（顔画像データ）と、顧客Ｃが観覧した広告映像の識別情報（観覧広告ＩＤ）と、電子広告装置２〜５の識別情報（電子広告装置ＩＤ）と、広告を観覧した日時を示す日時情報と、を含む。
【００１７】
顔画像照合装置１２は、プロセッサ等から構成され、例えば、カメラ６〜９が撮像した顧客Ｃの顔部分の画像と観覧者情報記録装置１１に記録された顔画像を照合して、観覧者情報記録装置１１に、カメラ６〜９が撮像した顧客Ｃの顔画像と同一人物の顔画像が記録されていた場合に、広告差し替え指示を広告配信装置１３に出力するコンピュータである。
【００１８】
広告配信装置１３は、広告映像を記憶し、所定のスケジュールに従って電子広告装置２〜５に広告映像を配信し、表示させる。また、広告配信装置１３は、顔画像照合装置１２から広告差し替え指示が入力されると、スケジュールに従った広告映像の配信を中断し、観覧者情報記録装置１１に記録された広告映像と同一の広告映像を、電子広告装置２〜５のうち該当するものに配信する。
【００１９】
広告配信装置１３の構成例を図４に示す。図示するように、広告配信装置１３は、スケジュールデータベース（ＤＢ）３２と、広告映像ＤＢ３３と、通信部３４と、入出力部３５と、制御部３６と、とから構成される。
【００２０】
スケジュールＤＢ３２は、電子広告装置毎に広告の配信（表示）スケジュールを格納する。配信スケジュールは、図５に示すように、時刻時間（時分秒）と表示対象の広告映像（例えば、音声付きの動画）の格納位置のアドレス（ＵＲＬ（Uniform Resource Locator））とを含む。
【００２１】
広告映像ＤＢ３３は、図６に示すように、表示対象の広告映像の映像データ（例えば、ＭＰＥＧフォーマットの音声付動画）を格納する。各映像データはＵＲＬで特定される。配信スケジュールは、このＵＲＬで配信対象の映像データを特定する。各広告映像には、ＩＤ（映像ＩＤ）が付されている。
【００２２】
通信部３４は、通信網を介して、電子広告装置２〜５、観覧者情報記録装置１１、顔画像照合装置１２等と通信を行う。
【００２３】
入出力部３５は、キーボード、マウス、表示装置などから構成され、制御部３６に種々の指示やデータを入力し、また、制御部３６からの出力を表示する。
【００２４】
制御部３６は、プロセッサなどから構成され、ＲＴＣ（リアルタイムクロック）を備えると共に制御プログラムに従って動作する。具体的には、制御部３６は、スケジュールＤＢ３２に登録されている配信スケジュールに従って、各電子広告装置２〜５で表示すべき広告映像を、広告映像ＤＢ３３から読み出し、通信部３４から通信回線を介して供給する。また、制御部３６は、顔画像照合装置１２からの指示に応答して、広告映像ＤＢ３３に格納されている広告映像を選択し、指定された電子広告装置２〜５に送信する。
また、制御部３６は、入出力部３５からの指示に応答して、配信スケジュールを編集及び更新する。
【００２５】
次に、上記構成の電子広告システム１０の動作を説明する。
まず、広告配信装置１３の制御部３６は、ＲＴＣが計時する現在時刻とスケジュールＤＢ３２に登録されているスケジュールとに従って、広告映像ＤＢ３３から表示対象の広告映像を読み出し、電子広告装置２〜５に供給する。電子広告装置２〜５は、それぞれ、供給された広告映像を表示する。
【００２６】
一方、電子広告装置２〜５に設置されたカメラ６〜９は、それぞれ、前方の画像を撮影し、例えば、１／３０秒のフレーム周期でフレーム画像を取得し、顔画像照合装置１２に送信する。
顔画像照合装置１２は、電子広告装置２〜５に設置されたカメラ６〜９からフレーム画像を受信すると、受信した各フレーム画像について、図７に示す処理を行う。
【００２７】
以下では、電子広告装置２に設置されたカメラ６から受信したフレーム画像を例に処理を説明する。
まず、顔画像照合装置１２は、供給された各フレーム画像に、顔の画像が含まれているか否かを、パターン認識技術等を用いて判別する（ステップＳ１１）。
【００２８】
顔画像照合装置１２は、顔の画像が含まれていると判別した場合（ステップＳ１１；Ｙｅｓ）、顧客が、電子広告装置２から所定距離内に位置しているか否かを判別し（ステップＳ１２）、所定距離内に位置していると判別すると（ステップＳ１２；Ｙｅｓ）、その顧客が電子広告装置２を観覧しているか（注目しているか）否かを判別する（ステップＳ１３）。
【００２９】
顧客Ｃが、電子広告装置２から所定距離内に位置しているか否かは、例えば、フレーム画像上の顔のサイズが基準値以上か否かにより判別できる。また、顧客Ｃが電子広告装置２を見ているか否かは、例えば、顔の画像中に、一定の距離（１０〜１８ｃｍ相当）にある２つの黒点（目の画像と推定されるもの）の組を抽出できるか否かにより判別することができる。
【００３０】
顔画像照合装置１２は、供給された各フレーム画像に、顔の画像が含まれていないと判別された場合（ステップＳ１１；Ｎｏ）、顧客Ｃが、電子広告装置２から所定距離以上離れていると判別した場合（ステップＳ１２；Ｎｏ）、顧客Ｃが電子広告装置２を観覧していない（注目していない）と判別した場合（ステップＳ１３；Ｎｏ）、今回の処理を終了する。
【００３１】
一方、ステップＳ１３で、顧客Ｃが電子広告装置２を観覧していると判別した場合（ステップＳ１３；Ｙｅｓ）、その顧客Ｃの顔画像（以下「新顔画像」という）と観覧者情報記録装置１１に記録されている画像（以下「旧顔画像」という）とを照合し、一致するものが存在するか否か判別する（ステップＳ１４）。
【００３２】
新顔画像が観覧者情報記録装置１１に格納されている旧顔画像の何れとも一致しない場合、つまり、新顔画像が電子広告システム１０で初めて検出された人物の顔画像である場合（ステップＳ１４；ＹＥＳ）は、制御部３６は、タイマをスタートさせる（ステップＳ１５）。所定時間が経過して、タイマがタイムアップした時、電子広告装置２に対応するカメラ６が同一の顧客Ｃを検出していなければ（ステップＳ１６；Ｎｏ）、つまり顧客Ｃが、所定時間が経過する前に電子広告装置２の前から立ち去っていれば、そのまま、何もしないで処理を終了する。一方、カメラ６が同一の顧客Ｃを引き続き検出していれば、つまり顧客Ｃが所定時間、電子広告装置２の前に留まって、広告映像を観覧していれば（ステップＳ１６；Ｙｅｓ）、カメラ６で撮像した顧客Ｃの顔部分の画像（新顔画像）と顧客Ｃが電子広告装置２で観覧（閲覧）していた広告映像のＩＤ及び電子広告装置２の識別符号を観覧者情報記録装置１１に記録する（ステップＳ１７）。顧客Ｃが所定時間を超えて広告映像を観覧していれば、顧客Ｃが当該広告映像に関心を持っている蓋然性が高いと考えるからである。なお、ステップＳ１７で、同一顔画像について、同一の電子広告装置で同一の広告映像を観覧している場合には、観覧者情報を更新せず、いずれかの情報が変化したときに、観覧者情報を上書き更新又は追加更新するようにしてもよい。
【００３３】
一方、新顔画像が前記旧顔画像の何れかと実質的に同一である場合（ステップＳ１４；Ｎｏ）、つまり顧客Ｃと旧顔画像の何れかの人物が同一人物であるとされる場合は、顔画像照合装置１２は広告配信装置１３に広告差し替え指示を出力して（ステップＳ１８）、処理を終える。この指示は、観覧広告ＩＤと電子広告装置ＩＤとを含む。
【００３４】
広告差し替え指示を受けた広告配信装置１２は、図８に示すような広告差し替え処理プログラムを実行する。前述のように、電子広告システム１０の動作中は、広告配信装置１２は所定のスケジュールに従って各種の広告映像を電子広告装置２〜５に配信しているが、顔画像照合装置１２から広告配信装置１３に広告差し替え指示が入力された時に、この差し替え処理プログラムが割込実行される。
【００３５】
図８に示すように、広告配信装置１２の制御部３６は、広告差し替え処理プログラムを実行すると、広告差し替え指示に含まれていた電子広告装置ＩＤで特定される（新顔画像を撮像したカメラを備える）電子広告装置（本実施形態では、電子広告装置２）へのスケジュールに基づく広告映像の配信を中止する（ステップＳ２１）。次に、広告差し替え指示に含まれている観覧広告ＩＤで特定される広告映像を広告映像ＤＢ３３から読み出して、広告差し替え指示に含まれている電子広告装置ＩＤで特定された電子広告装置２に配信する。すなわち、観覧者情報記録装置１１に記録されている広告映像（つまり、顧客Ｃが電子広告装置２の前に立つ以前に、電子広告装置２〜５のいずれかで観覧した広告映像）と同一の広告映像を電子広告装置２に配信して表示させる（ステップＳ２２）。そして、観覧者Ｃが電子広告装置２において前記同一の広告映像を観覧した旨を、観覧者情報記録装置１１に記録し（ステップＳ２３）、さらに同一の広告映像の電子広告装置２に於ける表示が終わったら、所定のスケジュールによる広告映像の配信を再開して（ステップＳ２４）、処理を終える。
【００３６】
このように、電子広告システム１０によれば、複数の電子広告装置２〜５が配置された店舗１内で、顧客Ｃが電子広告装置２〜５のいずれかで、所定時間を超えている広告映像を観覧した場合に、その後、顧客Ｃが移動して他の電子広告装置の前に立った時に、電子広告システム１０がそれを検知して、その電子広告装置に同一の広告を表示することができる。
【００３７】
また、顧客Ｃが電子広告装置２で、ある広告映像を途中まで観覧した時に、顧客Ｃがその広告画像を何処まで観たかを観覧者情報記録装置１１に記録しておけば、電子広告装置５に同じ広告映像の続きを表示することもできる。
【００３８】
つまり、電子広告システム１０は店舗１内を移動する顧客Ｃを追跡して、顧客Ｃの移動先に置かれた電子広告装置２〜５に、移動する前に顧客Ｃが観覧した広告映像を表示するので、当該広告映像の顧客Ｃに対する訴求力が大きくなり、広告効果が向上する。
【００３９】
なお、本実施形態では、顧客Ｃが観覧していた広告映像に関係する広告映像の例として、「同一の広告映像」を取り上げたが、本発明の「関係する広告映像」とは「同一の広告映像」には限らない。例えば顧客Ｃが電子広告装置２で観覧した広告画像と同じジャンルの商品の広告画像を電子広告装置５に表示してもよい。また、同じブランドの商品の広告画像を電子広告装置５に表示してもよい。あるいは、例えば、顧客Ｃが電子広告装置２であるブランドのイメージ広告を長時間観覧したような場合に、顧客Ｃの顔画像から顧客Ｃの年齢性別を推定して、当該ブランドの顧客Ｃの年齢性別に適合する商品の広告映像を電子広告装置５に表示してもよい。あるいは、複数の広告映像がシリーズになっているような（例えば、複数の広告映像で一続きのストーリーを構成するような）場合に、顧客Ｃが電子広告装置２で観覧した広告画像の次の広告画像を電子広告装置５に表示してもよい。つまり「関係する広告映像」とは、顧客Ｃが電子広告装置２で観覧した広告画像と何らかの関係があって、所定のプログラムに従って広告配信装置１３が選択した広告映像である。
【００４０】
このような処理を行う場合には、例えば、図９に示すように、コンテンツデータに、広告がターゲットとする顧客の属性、広告対象商品やサービスのジャンル、関連する広告のＵＲＬ、後続する広告映像のＵＲＬ等を対応付けて登録しておき、いずれが有効であるかを示す選択フラグを設定する。
そして、例えば、選択フラグを属性に設定し、判別した顔画像から顧客の年代・性別等を判別し、該当するターゲット属性が設定されている映像広告を検索して配信するようにしてもよい。
【００４１】
同様に、選択フラグをジャンルに設定し、広告映像のジャンルを判別し、判別したジャンルと同一のジャンルに属す映像広告を検索して配信するようにしてもよい。
さらに、選択フラグを関連広告映像に設定し、関連広告映像のＵＲＬを特定し、特定したＵＲＬから映像広告を読み出し、配信するようにしてもよい。
さらに、選択フラグを後続広告映像に設定し、後続広告映像のＵＲＬを特定し、特定したＵＲＬから映像広告を読み出し、配信するようにしてもよい。
【００４２】
なお、本実施形態では、電子広告装置５が広告映像を表示するとしたが、広告映像は動画像には限られない。静止画像であってもよい。また広告映像は、具体的な商品やサービスを直接的に宣伝する映像には限定されない。ブランドイメージを訴求するためのイメージ広告であってもよいし、販促イベントの開催を通告する広告であってもよい。
顔画像の同一・非同一を判別する手法は任意であるが、顔画像から顔の特徴データを抽出して特徴データ同士を比較することにより、判別してもよい。特徴データを用いる判別方法としては、例えば、特開２００４−１３９５９６号公報に開示されているもの等を利用できる。
【００４３】
なお、本明細書と図面に示した実施形態は、本発明の実施形態の一例に過ぎない。言うまでもなく、本発明の技術的範囲は、これらに限定されるものではなく、特許請求の範囲に記載された技術的思想の範囲で、自由に応用変形して実施できる。例えば、本実施形態では、説明の便宜のために、顔画像照合装置１２及び広告配信装置１３を別個のコンピュータとして扱ったが、１台のコンピュータが顔画像照合装置１２と広告配信装置１３の機能を発揮するように構成することも可能である。また、電子広告装置２〜５に顔画像照合装置１２の機能の一部または全部を持たせることもできる。
【００４４】
また、上記各装置のデータ構成や処理手順も適宜変更可能である。例えば、図３の構成で、顔画像に代えて（又は顔画像に追加して）、顔画像から得られた顔の特徴データ等を用いてよい。また、図７のステップＳ１５で、タイマＴＣにより一定時間ウエイトする代わりに、一旦処理を終了し、一定期間繰り返し、同一の顔画像が得られるか否かを判別するようにしてもよい。
【図面の簡単な説明】
【００４５】
【図１】本発明の実施形態に係る電子広告システムを備えた店舗の概念的な配置図である。
【図２】前記電子広告システムの概念的な構成図である。
【図３】観覧情報の構成例を示す図である。
【図４】広告配信装置の構成例を示す図である。
【図５】スケジュール情報の構成例を示す図である。
【図６】広告映像情報の構成例を示す図である。
【図７】照合処理動作を説明するためのフローチャートである。
【図８】広告差し替え処理を説明するためのフローチャートである。
【図９】広告映像情報の他の構成例を示す図である
【符号の説明】
【００４６】
１  店舗
２〜５  電子広告装置
６〜９  カメラ
１０  電子広告システム
１１  観覧者情報記録装置
１２  顔画像照合装置
１３  広告配信装置
【図１】
2010113314.tif 000003
【図２】
2010113314.tif 000004
【図３】
2010113314.tif 000005
【図４】
2010113314.tif 000006
【図５】
2010113314.tif 000007
【図６】
2010113314.tif 000008
【図７】
2010113314.tif 000009
【図８】
2010113314.tif 000010
【図９】
2010113314.tif 000011